(57)【要約】  ２つの構造的構成要素を連結する連結装置には、第１構造的構成要素にある保持手段と、第２構造的構成要素に挿入して上記保持手段と連結係合し、それにより２つの構造的構成要素を合わせて拘持する固定手段とを備える。固定手段には第１端部及び第２端部を有するプラグ部材を備え、該第１端部にはアンダカットした頭部を備えて、これを上記保持手段に挿入し、該保持手段と保持係合させる。上記プラグ部材には、上記第２構造的構成要素と係合する手段を備える。【選択図】図１
2008530479.tif 000002
【特許請求の範囲】
【請求項１】
２つの構造的構成要素、特に２つ家具構成要素を連結する連結装置であって、該装置には、第１の前記構造的構成要素に配設する保持手段と、第２の前記構造的構成要素にある貫通孔に挿入して、前記保持手段と連結係合する固定プラグ手段とを備え、前記固定プラグ手段には、前記第２構造的構成要素と係合する手段を備え、それにより前記保持手段と前記連結係合する際に、前記２つの構造的構成要素を拘持する連結装置であって、前記固定プラグ手段には、前記保持手段に挿入し、該保持手段と保持係合状態にするアンダカットした頭部を備える第１端部を有する固定プラグを備え、前記第２構造的構成要素と係合する前記手段には、前記固定プラグと該固定プラグの第２端部で螺着可能に協働する別の締着手段を備え、前記保持手段には、長手スロットを有する輪郭要素と、前記アンダカットした頭部と前記保持係合する少なくとも１つの内部保持係合手段とを備えること、を特徴とする連結装置。
【請求項２】
前記輪郭要素を板金材とし、該板金材を丸めて、又は屈曲させてスリーブ状にし、板縁部をスリーブの内側に延在させ、前記アンダカットした頭部と前記保持係合させるための少なくとも１つの保持縁部を形成すること、を特徴とする請求項１に記載の連結装置。
【請求項３】
前記アンダカットした頭部を、前記少なくとも１つの保持縁部を溝で受容するよう構成すること、を特徴とする請求項２に記載の連結装置。
【請求項４】
前記アンダカットした頭部には、前記アンダカットした頭部を、前記保持係合状態にした場合に、前記輪郭要素の底に到達可能な長手寸法を有すること、を特徴とする請求項１乃至３の何れかに記載の連結装置。
【請求項５】
前記固定プラグには、前記第２端部が、前記アンダカットした頭部を前記輪郭要素に挿入及び保持する場合に、結果的に前記第１構造的構成要素を超えて延在する長手寸法を有すること、を特徴とする請求項１乃至４の何れかに記載の連結装置。
【請求項６】
前記輪郭要素には、多数の前記固定プラグ手段を前記輪郭要素と共に使用可能にする長手寸法を有すること、を特徴とする前請求項の何れかに記載の連結装置。
【請求項７】
前記輪郭要素には円筒体を備え、該円筒体には外周面と、該面から径方向内方に延在して、関連する前記スロットで終端する長手スロットと、前記円筒体で前記アンダカットした頭部を受容し保持する拡張した空洞部とを有すること、を特徴とする請求項１に記載の連結装置。
【請求項８】
前記輪郭要素に長手方向に挿入して、前記相互係合させた内部保持係合手段とアンダカットした頭部を係止係合するよう構成する係止部材、を特徴とする請求項１乃至６の何れかに記載の連結装置。
【請求項９】
前記プラグ部材には、前記第２端部から内穴を有し、該内穴には少なくとも前記アンダカットした頭部を横断する寸法に等しい直径を有し、それにより前記内穴が前記アンダカットした頭部の裏側で及び該頭部と隣接するまで広がり、前記内穴を好適にはネジ付穴とすること、を特徴とする前請求項の何れかに記載の連結装置。
【請求項１０】
前記輪郭要素には、穴の壁と協働する外側定着要素を有すること、を特徴とする前請求項の何れかに記載の連結装置。
【発明の詳細な説明】
【技術分野】
【０００１】
本発明は、請求項１の導入部分に記載したような連結装置に関する。
【背景技術】
【０００２】
国際公開第ＷＯ／９２００４６１号では、強固で単純な方法で対象物を連結するクランプ手段について開示している。該クランプ手段には雌部を備え、該雌部はＵ字形をしており、該Ｕ字形の内側に１又は２つのバーブを設けてこれを延在させ、雌部内に達する雄部を保持する１部分又は２部分を有する。
【０００３】
有名な家具結合具として、ボルトの頭部と協働する傍心溝付プラグを備えるものがある。このプラグを一方の家具部分の穴に挿入し、ボルトを他方の家具部分の穴から挿入して、該プラグを係合させる。ボルトを回転させて、締結する。
【０００４】
アンダカット部又は拡大した頭部を有するプラグを多少弾力性のある受け部と協働させるスナップファスナも知られている。
【０００５】
最初に述べたクランプ手段では、２対象物間で簡単に安全な結合を行えるが、しかしながら、安定した結合状態にするために、狭い許容誤差に依存している。上記の家具連結具では、家具部分間を良好に締結する、及び後から締結可能にするが、ある程度プラグを適合及び位置決めして、ボルト頭部と係合させる必要がある。
【０００６】
スナップファスナは単純で安価だが、殆どは一定の緩みが有り、そうした緩みを連結時以降には締着できない。
【０００７】
家具にとって特に重要なのは、連結時以降に連結具を締着可能にすることである。かかる安価で、速く、単純で締着可能な連結具、特に家具用連結具が必要である。
【特許文献１】国際公開第ＷＯ／９２００４６１号パンフレット
【発明の開示】
【０００８】
本発明の目的は、特に家具構成要素用の他、より一般的には、構造的構成要素用の係る連結具を提供することである。
【０００９】
この目的を、請求項１で開示したような連結装置で達成する。更に有利な特徴については、従属クレームで開示している。
【００１０】
本発明では、スナップファスナの容易さと、締結の可能性とを組み合わせる。精密許容誤差の必要性を排除し、２つの構造的構成要素の連結を、着脱可能且つ締結可能にして実現する。
【００１１】
長手スロットを持つ輪郭要素を有する家具結合具として使用する際、本発明により構成要素を簡単に合わせて配置させ、連結を、特に相互に適合及び位置決めする必要なく、より簡単な方法で実現可能である、というのも、この革新的な輪郭要素にはプラグ頭部を挿入するためのスロットを有するが、該スロットをプラグに関してかなり正確に位置決めして後かかる挿入を行うようにして、プラグ及びその頭部を該スロットに挿入可能にしているからである。要するに、プラグをスロットを通して輪郭要素内に挿入する必要があるだけで、それによりアンダカットした頭部を内部保持係合手段の裏側に係合させる。その後、本装置を、締着手段を締着させることで、締着できるが、それによって、アンダカットした頭部が内部保持係合手段に対して押付けられ、第２構造的構成要素が第１構造的構成要素に対してきつく引寄せられる。
【００１２】
好適な実施例として、輪郭要素を板金材とし、該板金材を丸める及び／又は屈曲させてスリーブ形状にし、該スリーブ形状には該輪郭内で内側に延在させる少なくとも１つの板縁部を有し、該スリーブ形状で保持係合手段を形成するものがある。
【００１３】
好適には、アンダカットした頭部に、該板縁部を受容する溝を有してもよい。板縁部及びアンダカットした頭部を、次に共に係止させ、それにより連結を強化する。
【００１４】
好適には、プラグ部材には、アンダカットした頭部を保持手段に挿入及び保持した場合に、結果的に上記第２端部が第１構造的構成要素から外に延在するような長手寸法を有してもよい。プラグ部材は、第２構造的構成要素に対するセンタリング又はガイド機能を有し、例えば棚等２つ以上の構成要素を一体化させる場合に有利である。
【００１５】
保持手段には、保持手段と共に２つ以上の固定手段を使用可能にする長手寸法を有してもよい。
【００１６】
別の好適な実施例として、保持手段には円筒体を備え、該円筒体には外周面と、該外周面から径方向内方に延在し、上記頭部を受容し保持係合するために上記円筒体内に存在させる拡張した空洞部で終端する長手スロットとを備えるものがある。
【００１７】
本発明の好適な実施例としては、連結装置には更に係止手段を含み、該係止手段を、係止係合する際に挿入して、保持手段と固定手段とを相互に係合させるよう構成する。
【００１８】
プラグ部材を保持手段との係合状態から、特に大型の構造体同士及び連結装置を連結する際に、解除可能にするのに、プラグ部材を輪郭要素と協働させた場合に、内穴はアンダカットした頭部の裏側及び該頭部に隣接するまで拡開できるよう、内穴は少なくともアンダカットした頭部を横断する寸法に等しい直径を有し、このようにして、内穴に、ロッド又はネジがねじ込まれ、アンダカットしたプラグ頭部のかみ合いの縁部を押圧することで、係合状態を解除可能にしてもよい。
【００１９】
構造的構成要素の内穴にある輪郭部材の方向は、スロットがプラグ頭部を受容するようかなり正確に位置決めする限り、重要ではないが、好適には輪郭要素には、内穴の壁と協働する外側定着要素を有してもよい。
【００２０】
プラグ頭部を輪郭要素のスロットから挿入するには、プラグ頭部及び／又は輪郭要素に関して通常一定の可撓性が必要である。従って、輪郭要素及び／又はプラグ頭部には、一定の圧縮及び伸張する可能性を備える。
【発明を実施するための最良の形態】
【００２１】
本発明の特徴及び効果について、幾つかの実施例に関する以下の記述から明白であり、該実施例は、例示のみを意図しており、制限を意図するものではなく、包含した図面を参照して記述する。
【００２２】
図面を参照すると、図１は、本発明による好適な、家具の２部分又は２構造的構成要素１及び２を連結するための連結具を示す。盲穴３を、第１家具部分１に設ける。穴形状をした開口部４を、第２家具部分２に面する第１家具部分の側から延在させ、盲穴３へと開口させる。第２家具部分２には貫通孔５を有する。
【００２３】
輪郭要素６を、スロット９を有して盲穴３に配設し、該スロットを内側に延在させた縁部７、８により形成し、穴部４に向ける。図示したように、縁部７、８により保持手段又はバーブ１０及び１１を提供する。第１家具部分１と第２家具部分２を連結する場合、プラグ１２を穴部４からスロット９に、アンダカットしたプラグ頭部１３が、図１に示すように、バーブ１０、１１の裏側に配置されるまで、挿入する。プラグ１２は、第２家具部分２にまで延伸する長さを有し、従ってセンタリング又は指向手段として使用して、第１家具部分１及び第２家具部分２を、穴部４及び５を整列させて、正確に位置合わせしてもよい。ネジ１４を、プラグ１２のネジ穴１５に螺着して、これを示している。ネジ頭１６を第２家具部分２に向けて、第２家具部分２に対して空洞部１７内で締着する。
【００２４】
当然ながら、盲穴３内の輪郭要素６の方位は重要ではない。重要なのは、スロット９を、プラグ頭部１３が該スロットに入るよう指向させることだけである。
【００２５】
図示するように、輪郭要素６を狭い許容誤差で盲穴３内に寸法取りするならば、輪郭要素６には外側ガイド又は定着要素１８を有して、盲穴３の溝部１９と協働させる、又は第１家具部分１の材料に圧入してもよい。
【００２６】
輪郭要素６には、ガイド用空洞部２０を存在させて、プラグ頭部１３の端部と協働させてこれを定着させてもよい。加えて部分７及び８を、プラグ１２の凹形フランクとアンダカットした頭部１３の裏側で対応する凸形状にすると、ネジ１４、１６を締着した場合に、極めて安定した確実な連結を獲得できる。破線で、後で説明する係止部材を表す。
【００２７】
図２の実施例は、図１の実施例の変更例であり、対応する特徴については図１でと同じ参照番号を同図に付す。主な違いは、図２の実施例では片方だけにバーブ１０を有し、それに対して、他方の縁部を輪郭要素６の底部に対して下方に引伸している。対応するように、プラグ頭部１３を片方だけアンダカットして、バーブ１０と協働させている。
【００２８】
図３では、１実施例を、対応する特徴については図１でと同じ参照番号を有して、これを示す。プラグ１２、即ちその頭部１３を分割して、それによりプラグ頭部に、スロット９に差込み、バーブ１０及び１１の裏側で係合するのに必要な弾力性を与える。
【００２９】
図４では、径方向内方に延在し、空洞部２１で終端させて、アンダカットしたプラグ頭部（図示せず）を受容するスロット９’を有する円筒体形状をした、考え得る輪郭要素６’を示す。この輪郭要素６’を、好適にはプラスチック材料製としてもよい。ここでは、輪郭要素６’を配置する穴部を塞ぐよう構成した拡大した大頭部２２を有する。
【００３０】
長尺の輪郭要素２３について、図５で示す。この輪郭要素２３を、図に示すように、多数のプラグ部材２４と協働させるよう構成し、構造的構成要素２５にネジ（図示せず）で係着する。
【００３１】
かかる輪郭要素２３を、図６で示すように、例えばフェンス２６、又は壁を据付ける際に使用してもよい。多数の輪郭要素２３を、例えばネジ（図示せず）等の適当な手段で、柱２７に（１本の柱のみを示す）に係着させる。板材２８を、輪郭要素２３に、本発明による固定手段で連結する。図６では、図１でのような固定手段２９を示すが、それに対して他方の固定手段３０を、プラグ９”を頭部ナット３１と螺着させ、協働するよう変更している。
【００３２】
当業者は、プラグ及び輪郭要素を他の適当な形状にしてもよいこと、及びアンダカット係合を、本明細書で示した及び記述した以外の同等な形状で実現してもよいことを理解するだろう。弾性効果を必要としない状況が、例えば図５のような、プラグを輪郭要素の長手方向に挿入してもよい要素を使用する場合、あるかも知れない。輪郭要素とプラグ両方には一定の弾力性を、２部品の使用材料又は特定の弾性形状により発生させて、これを有してもよい。
【００３３】
図７では、略図１のような実施例を示す。２つの構造的構成要素３２及び３３を、プレート部３７及び３８と係合するアンダカットした頭部３６を有するプラグ部材３４によって、結合させる。プラグ部材には、ネジ付要素４０を螺着させる内部ネジ穴３９を有する。穴３９の直径を、該穴３９がプラグ部材壁をアンダカットした頭部３６裏側まで貫く大きさにする。そのため、ネジ付要素を内部ネジ穴３９に螺着させると、ネジ付要素がプレート部を押して、プレート部３８を外側に押出して示す図７の右部分で開示するように、係合状態を解除する。プラグ部材をその後遊離させ、引出せる。図７では、プラグ部材３４を、ナット３５で締着する。
【００３４】
図８及び図９では、図４の要素の変更例を示す。要素６"は図４のようなものであるが、切欠４１を円筒体で行い、その結果該要素に、図１の可撓性プレート部７及び８に対応する、一定の可撓力を与えて、該要素６”に可撓性を与えている。
【００３５】
特定の場合では、保持係合部を固定又は係止する必要があるかも知れず、図１０〜図１２では、例えば、図１で破線で示したように、図１０のような係止部材４２を穴３に挿入して使用するのに、考え得る係止部材を示す。該係止部材により、図１で示すようにプレート部７及び８を支持する。
【００３６】
別の考え得る係止部材は、図１１のものである。この係止部材４３にはプレート又は頭部４７から外側に延伸する２本のピン４５、４６を有し、図１３で示すように挿入し、使用してもよい。
【００３７】
図１２では、図１４で示すように使用してもよい係止部材４８を示す。
【００３８】
図１３では、略図１のような実施例を示すが、輪郭要素６を薄い平鋼製とし、内側に湾曲させた部分７及び８の端部を、アンダカットした頭部９の溝４９、５０で受容する。加えて、保持係合部を、係止部材４５、４６を挿入して強化する。
【図面の簡単な説明】
【００３９】
【図１】本発明による好適な連結具の断面図を示す。
【図２】本発明による変更した連結具の断面図を示す。
【図３】本発明の第３の好適実施例の断面図を示す。
【図４】本発明による考え得る輪郭要素の透視図を示す。
【図５】本発明による長尺の輪郭要素の透視図を示す。
【図６】本発明を用いて提供する壁又はフェンスの断面図を示す。
【図７】プラグ部材を輪郭要素から取外してもよい実施例の断面図を示す。
【図８】図４の輪郭要素の変更例を示す。
【図９】図８の要素の側面図を示す。
【図１０】係止部材の考え得る実施例を示す。
【図１１】係止部材の考え得る実施例を示す。
【図１２】係止部材の考え得る実施例を示す。
【図１３】本発明による別の実施例の断面図を示す。
【符号の説明】
【００４０】
１  第１家具部分
２  第２家具部分
３  盲穴
４  開口部
５  貫通孔
６、２３  輪郭要素
７、８  縁部
９  スロット
１０、１１  バーブ
１２  プラグ
１３、３６  アンダカットしたプラグ頭部
１４  ネジ
１５  ネジ穴
１６  ネジ頭
１７  空洞部
３４、２４  プラグ部材
２５  構造的構成要素
２８  板材
２９  固定手段
３７、３８  プレート部
３９  内部ネジ穴
４０  ネジ付要素
４２、４３、４５、４６、４８  係止部材
【図１】
2008530479.tif 000003
【図２】
2008530479.tif 000004
【図３】
2008530479.tif 000005
【図４】
2008530479.tif 000006
【図５】
2008530479.tif 000007
【図６】
2008530479.tif 000008
【図７】
2008530479.tif 000009
【図８】
2008530479.tif 000010
【図９】
2008530479.tif 000011
【図１０】
2008530479.tif 000012
【図１１】
2008530479.tif 000013
【図１２】
2008530479.tif 000014
【図１３】
2008530479.tif 000015
【国際調査報告】
2008530479.tif 000016
2008530479.tif 000017